(57)【要約】【課題】衝撃吸収性と滑り止め効果、携帯性に優れ、普通の靴の靴底に装着し凸凹道の歩行において膝、足への衝撃を和らげ、また滑りやすい雪道岩場の水苔面を歩行する時に有効な衝撃吸収機能を有した靴底用滑り止め補助具を提供する。【解決手段】平面状の弾性体を内蔵した靴底の基台と滑らない素材の底用面と靴に装着する靴底に接する被服面からなる組成体と靴に装着する時につま先部及び両側面壁を押さえる側面素材とからなる靴底本体と連接する靴の踵の後部を締め付けるバンドと前記靴底本体を靴の前半分部のつま先を締め付けるバンドと靴の中央部を締め付けるベルトと前記ベルトを靴のサイズに合わせて長さが調節可能となる締付け金具とから構成した衝撃吸収機能を有した滑り止め補助具。【選択図】              図１
2004305657.tif 000002
【特許請求の範囲】
【請求項１】
靴底に装着する衝撃吸収機能を有した滑り止め補助具であって、平面状の弾性体（１１）を内蔵した靴底の基台（１２）と凹凸状の突起物を形成した底用面（１）と靴（１５）に装着する時靴（１５）の靴底に接する被服面（１３）の３重構造からなる組成体と靴（１５）に装着する時靴（１５）のつま先及び両側面壁を押さえる側面壁（６）とからなる靴底本体（１０）と連接する靴（１５）の踵後部を締め付ける伸縮性のあるバンド（５）と靴（１５）前半分部に取付けるために靴（１５）つま先上部を締め付ける伸縮性のあるバンド（２）と靴（１５）中央上部を締め付けるベルト（３）と前記ベルト（３）を靴（１５）のサイズに合わせて長さが調節可能となる締付け金具（４）とで構成した衝撃吸収機能を有した滑り止め補助具。
【請求項２】
前記靴底本体（１０）を靴１５底後方の踵部に装着するため靴（１５）中央上部を締め付けるベルト（７）と前記ベルトを靴（１５）のサイズに合わせて長さが調節可能となる締付け金具（４）を設けて靴（１５）底後方の踵部に取付けられるようした衝撃吸収機能を有した靴底用滑り止め補助具。
【請求項３】
前記靴底本体（１０）を靴（１５）前半分部に装着するためつま先部に伸縮性のあるバンド（２）からなる請求項１と前記靴底本体（１０）を靴（１５）底後方の踵部に装着するため靴（１５）の中央上部を締め付けるように調節可能なベルト（７）と締付け金具（４）からなる請求項２とを伸縮性のある弾性体（１４）で連接した衝撃吸収機能を有した靴底用滑り止め補助具。
【発明の詳細な説明】
【０００１】
【発明の属する技術分野】
本発明は、衝撃吸収機能を有した滑り止め補助具に関し、特に通常の靴に装着して履くいわゆる靴底用滑り止め補助具においてその衝撃吸収機能と滑り止め効果を長期にわたって維持できるようにした衝撃吸収機能を有した靴底用滑り止め補助具に関するものである。
【０００２】
【従来の技術】
従来より一般的な靴の底に金属や樹脂等をゴムの基台に取付けた滑り止め用の補助具を装着することが試られている。また、登山靴などに装着する金属製のアイゼンなどがある。
【０００３】
【発明が解決しようとする課題】普通の靴に装着する従来の滑り止め補助具は、雪道などを歩行する上では有効であるが、登山などの凸凹する岩表面の突起からくる衝撃や踏み降ろし時の衝撃に対し人体の足、膝部などの保護には必ずしも十分ではなく、また前記専用の靴底タイプでは、靴底にスリット等と称される滑り止め用の凹凸状の突起はあるが、靴底と凸凹する岩場との間で密着性が少なくその滑り止め効果も必ずしも十分でないことがある。
またこの種のものでは前述した滑り止め効果はあっても、衝撃、振動に対し人体の足、膝部などの保護の面で問題があった。
本発明は以上の問題点を解決するために発明されたものである。
【０００４】
【課題を解決するための手段】
請求項１から３に記載の発明は、靴１５に装着する衝撃吸収機能を有する靴底用滑り止め補助具であって、平面状の弾性体１１を内蔵した靴底の基台１２と凹凸状の突起物を形成した底用面１と靴１５に装着する時に靴１５底に接する被服面１３の３重構造からなる組成体と靴１５に装着する時に靴１５のつま先部と両側面壁を押さえる伸縮性のある弾性体６とからなる靴底本体１０とで構成している。衝撃吸収機能を有した靴底用滑り止め補助具である以上、靴に取付ける手段が必須であり、上記靴底本体１０にベルト３，７及び締付け金具４あるいは伸縮性のある弾性体で構成したバンド２、５、１４で装着される。
本発明は、以上の構成からなる衝撃吸収機能を有した靴底用滑り止め補助具である。
【０００５】
【発明の実施の形態】
以下、本発明の実施の形態を説明する。
【０００６】
第１の実施形態を図１と図２と図９と図７及び図８について説明する。
この衝撃吸収機能を有した滑り止め補助具は、図７及び図８に示すように平面状の弾性体１１である衝撃を吸収する楕円形状などのゲル素材をスポンジ素材などの靴底の基台１２に内蔵した組成物と表面を凹凸状の突起物をゴムなどで成型した合成皮革などからなる底用面１と靴１５に装着する時に靴１５の靴底に接する合成皮革などの被服面１３からなる３重構造の組成体と図１に示すように靴１５に装着する時に靴１５の両側壁及びつま先部を押さえるゴム素材などからなる側面壁６と靴１５の前半部に装着した靴底本体１０と伸縮性のあるバンド２およびこの靴底側面６から靴の中央部を締め付けるために延出するように連接したベルト３とベルトの長さを靴１５のサイズに合わせて調節することができる締付け金具４から構成している。
第１の実施形態は以上の構成よりなっている。本発明を使用するときは、図１の伸縮性のあるバンド２に靴１５底の先端部を装着して靴１５の中央部をベルト３で止め、伸縮性のあるバンド５を靴１５の踵に装着できるため、靴のサイズに合わせて締め付けられる。この結果、図９で示すように、靴１５底の前半部に装着できるとともに靴底本体１０は内部の弾性体１１と靴底面の凹凸状の突起物素材により衝撃吸収機能と同時に滑り止めの機能を有するものである。
【０００７】
第２の実施形態を図３と図４及び図１０について説明する。
本発明の衝撃吸収機能を有した滑り止め補助具は、図３に示すように前記靴底本体１０に靴の踵に装着するため靴１５中央部を締め付けるように調節可能なベルト７と前記に取付けたバンドを締め付けるため靴のサイズに合わせて長さを調節可能とする金具４を設けて踵に取付けられるように形成している。
第２の実施形態は以上の構成よりなっている。本発明を使用するときは、靴１５の底後半部の踵に装着して図３のベルト７を靴１５の中央部で止め、金具４で靴のサイズに合わせ締め付けて完了となる。この結果、図１０で示すように靴１５底後半部踵に装着できるともに靴底本体１０は内部の弾性体と靴底面の凹凸状の突起物素材により衝撃吸収機能と同時に滑り止めの機能を有するものである。
【０００８】
第３の実施形態を図５と図６及び図１２について説明する
本発明の衝撃吸収機能を有した滑り止め補助具は、図５に示すように前記靴底本体（１０）に靴の前方部には伸縮性のあるバンド２を連接した１６と後部には図３に示す前記靴底本体１０に靴の踵に装着するため靴１５中央部を締め付けるように調節可能なベルト７と前記に取付けたバンドを締め付けるため靴のサイズに合わせて長さを調節可能とする金具４を設けて踵に取付けられるように構成した靴底用滑り止め補助具９とをある程度の間隙をもって伸縮性のゴム素材のバンド１４で結合するように取付けている。
第３の実施形態は以上の構成よりなっている。本発明を使用するときは、図１２に示すように、図５の伸縮性のあるバンド２に靴１５などの先端部に装着して靴１５の中央部をベルト７で取り付け靴のサイズに合わせて締付け金具４で装着する。この結果、図１２で示すように靴１５底前半部と後半部踵に装着できるともに靴底本体１０は内部の弾性体と靴底面の凹凸状の突起物素材により衝撃吸収機能と同時に滑り止めの機能を有するものである。
【０００９】
また、本発明の衝撃吸収機能を有した靴底用滑り止め補助具は、図１１に示すように、第１発明の実施の形態で示した図１の靴底用滑り止め補助具８を靴１５の前半部に更に第２発明の実施の形態である図３の靴底用滑り止め補助具９を靴１５の踵部に装着するように組み合わせて装着することもでき、両者が装着されたならばベルト３およびベルト７の金具４を事後的に締め付けて完了となる。この結果、靴１５底前半部と後半部踵に装着できるともに靴底本体１０は内部の弾性体と靴底面の凹凸状の突起物素材により衝撃吸収機能と同時に滑り止めの機能を有するものである。
【００１０】
【発明の効果】
このように本発明を使用することによって、本発明の靴底本体には衝撃吸収機能を有するので、山道や凸凹の岩場の道を長時間歩いても足や膝への負担が軽減でき、また滑りやすい川底などの凸凹する岩場や都会などの道路面上の雪道で、本発明の底面は凹凸状の表面を備えているので靴底と路面との密着性が高く、衝撃吸収機能と同時に滑り止め効果がある。更にまた滑りやすい床面の歩行においても同じ効果がある。本発明を折りたたんで小さな収納ケースに入れて持ち運びができ専用の登山靴などを持ち運びしなくてもよい。
【図面の簡単な説明】
【図１】本発明の斜視図
【図２】本発明の側面図
【図３】第２発明の実施形態の斜視図
【図４】第２発明の実施形態の側面図
【図５】第３発明の実施形態の斜視図
【図６】第３発明の実施形態の側面図
【図７】本発明の図２Ａ−Ａの断面図
【図８】本発明の図４Ｂ−Ｂの断面図
【図９】本発明の一実施形態を示す斜視図
【図１０】本発明の一実施形態を示す斜視図
【図１１】本発明の一実施形態を示す斜視図
【図１２】本発明の一実施形態を示す斜視図
【符号の説明】
１．．．底用面
２、５、１４．．．バンド
４．．．締付け金具
６．．．側面壁
３、７．．．ベルト
１０．．．靴底本体
１１．．．弾性体
１２．．．基台
１３．．．被服面
１５．．．靴
８，９，１６．．．靴底用滑り止め補助具
【図１】
2004305657.tif 000003
【図２】
2004305657.tif 000004
【図３】
2004305657.tif 000005
【図４】
2004305657.tif 000006
【図５】
2004305657.tif 000007
【図６】
2004305657.tif 000008
【図７】
2004305657.tif 000009
【図８】
2004305657.tif 000010
【図９】
2004305657.tif 000011
【図１０】
2004305657.tif 000012
【図１１】
2004305657.tif 000013
【図１２】
2004305657.tif 000014